(57)【特許請求の範囲】
【請求項１】
所定の流路内を流通する同一の被測定ガスの流量を検出するための複数の異なる熱式流れセンサを備えるとともに、
少なくとも１つの前記熱式流れセンサのセンサ出力に基づいて被測定ガスの補正前流量を算出する流量算出手段と、
少なくとも２つの前記熱式流れセンサのセンサ出力に基づいて算出した被測定ガスの補正前流量と前記少なくとも２つの熱式流れセンサ固有の固定係数とに基づいて、所定の基準ガスの温度拡散率に対する被測定ガスの温度拡散率の比と相関関係を有する補正係数を算出する補正係数算出手段と、
前記流量算出手段で算出した補正前流量と前記補正係数算出手段で算出した補正係数とに基づいて被測定ガスの補正後流量を算出する流量補正手段と、を備える、
流量計。
【請求項２】
第一の発熱素子及び前記第一の発熱素子の近傍に配置された第一の抵抗素子を有し被測定ガスの運搬効果によって前記第一の抵抗素子の抵抗値が変化するように構成された第一の熱式流れセンサと、
第二の発熱素子及び前記第二の発熱素子の近傍に配置された第二の抵抗素子を有し被測定ガスの運搬効果によって前記第二の抵抗素子の抵抗値が変化するように構成された第二の熱式流れセンサと、を備える、
請求項１に記載の流量計。
【請求項３】
前記流量算出手段は、
前記第一の抵抗素子の抵抗値に基づいて被測定ガスの第一の補正前流量ＱAを算出するとともに、前記第二の抵抗素子の抵抗値に基づいて被測定ガスの第二の補正前流量ＱBを算出するものであり、
前記補正係数算出手段は、
前記第一の補正前流量ＱAと前記第二の補正前流量ＱBと前記第一の熱式流れセンサ固有の固定係数ＫAと前記第二の熱式流れセンサ固有の固定係数ＫBと特定比算出式
（α／α0）＝１＋（ＱB―ＱA）／（ＫAＱA―ＫBＱB）
とに基づいて所定の基準ガスの温度拡散率α0に対する被測定ガスの温度拡散率αの比である特定比（α／α0）を算出するものである、
請求項２に記載の流量計。
【請求項４】
前記補正係数算出手段は、
前記特定比（α／α0）と前記第一の熱式流れセンサ固有の固定係数ＫAと関係式
ＣＦA＝１−ＫA（１−α／α0）
とに基づいて第一の補正係数ＣＦAを算出するものであり、
前記流量補正手段は、
前記第一の補正前流量ＱAに前記第一の補正係数ＣＦAを乗じることにより被測定ガスの補正後流量Ｑを算出するものである、
請求項３に記載の流量計。
【請求項５】
前記補正係数算出手段は、
前記特定比（α／α0）と前記第二の熱式流れセンサ固有の固定係数ＫBと関係式
ＣＦB＝１−ＫB（１−α／α0）
とに基づいて第二の補正係数ＣＦBを算出するものであり、
前記流量補正手段は、
前記第二の補正前流量ＱBに前記第二の補正係数ＣＦBを乗じることにより被測定ガスの補正後流量Ｑを算出するものである、
請求項３に記載の流量計。
【請求項６】
前記第一の発熱素子と前記第一の抵抗素子の間の距離と、前記第二の発熱素子と前記第二の抵抗素子の間の距離と、が異なるように構成され、
前記固定係数ＫAは、前記第一の発熱素子と前記第一の抵抗素子の間の距離と相関関係を有し、
前記固定係数ＫBは、前記第二の発熱素子と前記第二の抵抗素子の間の距離と相関関係を有する、
請求項３から５の何れか一項に記載の流量計。
【請求項７】
第三の発熱素子及び前記第三の発熱素子の近傍に配置された第三の抵抗素子を有し被測定ガスの運搬効果によって前記第三の抵抗素子の抵抗値が変化するように構成された第三の熱式流れセンサをさらに備える、
請求項１から６の何れか一項に記載の流量計。
【請求項８】
前記第一の熱式流れセンサの測定可能流量域と前記第二の熱式流れセンサの測定可能流量域との重複流量域よりも、前記第三の熱式流れセンサの測定可能流領域と前記第一の熱式流れセンサの測定可能流量域との重複流量域が広くなるように設定される、
請求項７に記載の流量計。
【請求項９】
前記第一の熱式流れセンサの測定可能流量域と前記第二の熱式流れセンサの測定可能流量域との重複流量域よりも、前記第三の熱式流れセンサの測定可能流領域と前記第二の熱式流れセンサの測定可能流量域との重複流量域が広くなるように設定される、
請求項７に記載の流量計。
【請求項１０】
主流路と、前記主流路をバイパスするバイパス流路と、前記主流路内を流通する被測定ガスの流量を検出するための主流路用熱式流れセンサと、前記バイパス流路内を流通する被測定ガスの流量を検出するための少なくとも２つの異なるバイパス流路用熱式流れセンサと、を備えるとともに、
前記主流路用熱式流れセンサのセンサ出力に基づいて前記主流路内を流通する被測定ガスの補正前流量を算出するとともに、前記少なくとも２つの異なるバイパス流路用熱式流れセンサのセンサ出力に基づいて前記バイパス流路内を流通する被測定ガスの補正前流量を算出する流量算出手段と、
前記少なくとも２つの異なるバイパス流路用熱式流れセンサのセンサ出力に基づいて算出した被測定ガスの補正前流量と、前記少なくとも２つの異なるバイパス流路用熱式流れセンサ固有の固定係数と、に基づいて、所定の基準ガスの温度拡散率に対する被測定ガスの温度拡散率の比と相関関係を有する補正係数を算出する補正係数算出手段と、
前記流量算出手段で算出した前記主流路内を流通する被測定ガスの補正前流量と、前記補正係数算出手段で算出した補正係数と、に基づいて被測定ガスの補正後流量を算出する流量補正手段と、を備える、
流量計。
【発明の詳細な説明】
【技術分野】
【０００１】
本発明は、所定の流路を流通する被測定ガスの流量を検出する熱式流れセンサを備えた流量計に関する。
【背景技術】
【０００２】
従来より、所定の流路を流通するガスの流量を測定する流量計を用いた技術が種々提案され、実用化されている。例えば、流量レンジ（測定可能流量域）が異なるマスフローメータを複数設け、被測定ガスの流量に応じて最適なマスフローメータを選択して所定の検査を行う半導体製造装置に関する技術が提案されている（特許文献１参照）。
【０００３】
また、現在においては、ヒータ（発熱抵抗体）と、このヒータを挟んで被測定ガスの上流側及び下流側に各々配置された２つの温度センサ（測温抵抗素子）と、を有する熱式流れセンサを備える流量計が提案されている。かかる流量計においては、被測定ガスの運搬効果により変化する２つの温度センサの温度差（抵抗値の差）に対応する信号を検出し、この信号に基づいて被測定ガスの流量を算出している。
【０００４】
このような熱式流れセンサを備える流量計においては、被測定ガスの種類（組成）が変更されると、フローセンサのセンサ出力特性が変化することが知られている。その理由は、ガスの種類によって熱伝導率等が異なるからである。そこで、近年においては、ガスの種類に応じてセンサ出力特性の変化を補正する補正係数（コンバージョン・ファクタ）を予め設定しておき、被測定ガスが変更された場合にこの補正係数を手動で変更して測定値（流量）を補正する技術が提案されている。
【先行技術文献】
【特許文献】
【０００５】
【特許文献１】特開２００４−２１４５９１号公報
【発明の概要】
【発明が解決しようとする課題】
【０００６】
ところで、前記したような補正係数（コンバージョン・ファクタ）の設定変更のためには、被測定ガスの種類（組成）を特定する必要がある。ガス組成が時々刻々と変動するような環境下においては、ガスクロマトグラフィ等を用いてガス組成を分析し、このガス組成に基づいてコンバージョン・ファクタをその都度算出して被測定ガスの測定値を補正することも考えられる。
【０００７】
しかし、ガスクロマトグラフィのような高価で大掛かりな装置を流量計の近くに多数装備することは現実的ではない。このため、ガス組成が時々刻々と変動するような環境下において、コンバージョン・ファクタを自動設定して被測定ガスの測定値（流量）をより簡易に補正するための技術が待望されていた。
【０００８】
本発明は、このような事情に鑑みてなされたものであり、熱式流れセンサを備えた流量計において、ガス組成が変動する環境下で簡易に被測定ガスの流量補正を行うことを目的とする。
【課題を解決するための手段】
【０００９】
この目的を達成するため、本発明に係る第一の流量計は、所定の流路内を流通する同一の被測定ガスの流量を検出するための複数の異なる熱式流れセンサを備えるとともに、少なくとも１つの熱式流れセンサのセンサ出力に基づいて被測定ガスの補正前流量を算出する流量算出手段と、少なくとも２つの熱式流れセンサのセンサ出力に基づいて算出した被測定ガスの補正前流量と少なくとも２つの熱式流れセンサ固有の固定係数とに基づいて所定の基準ガスの温度拡散率に対する被測定ガスの温度拡散率の比と相関関係を有する補正係数を算出する補正係数算出手段と、流量算出手段で算出した補正前流量と前記補正係数算出手段で算出した補正係数とに基づいて被測定ガスの補正後流量を算出する流量補正手段と、を備えるものである。
【００１０】
かかる構成を採用すると、少なくとも２つの異なる熱式流れセンサのセンサ出力に基づいて算出した被測定ガスの補正前流量と、これら各熱式流れセンサ固有の固定係数と、に基づいて、所定の基準ガスの温度拡散率に対する被測定ガスの温度拡散率の比と相関関係を有する補正係数を算出することができる。そして、この算出した補正係数を用いて、被測定ガスの補正後流量を算出することができる。従って、ガス組成が変動する環境下においても、簡易に被測定ガスの流量補正を行うことが可能となる。
【００１１】
前記流量計において、第一の発熱素子及び第一の発熱素子の近傍に配置された第一の抵抗素子を有し被測定ガスの運搬効果によって第一の抵抗素子の抵抗値が変化するように構成された第一の熱式流れセンサと、第二の発熱素子及び第二の発熱素子の近傍に配置された第二の抵抗素子を有し被測定ガスの運搬効果によって第二の抵抗素子の抵抗値が変化するように構成された第二の熱式流れセンサと、を採用することができる。
【００１２】
また、前記流量計において、第一の抵抗素子の抵抗値に基づいて被測定ガスの第一の補正前流量ＱAを算出するとともに、第二の抵抗素子の抵抗値に基づいて被測定ガスの第二の補正前流量ＱBを算出する流量算出手段を採用することができる。かかる場合において、第一の補正前流量ＱAと第二の補正前流量ＱBと第一の熱式流れセンサ固有の固定係数ＫAと第二の熱式流れセンサ固有の固定係数ＫBと特定比算出式
（α／α0）＝１＋（ＱB―ＱA）／（ＫAＱA―ＫBＱB）
とに基づいて所定の基準ガスの温度拡散率α0に対する被測定ガスの温度拡散率αの比である特定比（α／α0）を算出する補正係数算出手段を採用することができる。ここで、固定係数ＫBは固定係数ＫAと異なる値とする。
【００１３】
また、前記流量計において、特定比（α／α0）と第一の熱式流れセンサ固有の固定係数ＫAと関係式
ＣＦA＝１−ＫA（１−α／α0）
とに基づいて第一の補正係数ＣＦAを算出する補正係数算出手段を採用することができる。かかる場合において、第一の補正前流量ＱAに第一の補正係数ＣＦAを乗じることにより被測定ガスの補正後流量Ｑを算出する流量補正手段を採用することができる。
【００１４】
また、前記流量計において、特定比（α／α0）と第二の熱式流れセンサ固有の固定係数ＫBと関係式
ＣＦB＝１−ＫB（１−α／α0）
とに基づいて第二の補正係数ＣＦBを算出する補正係数算出手段を採用することができる。かかる場合において、第二の補正前流量ＱBに第二の補正係数ＣＦBを乗じることにより被測定ガスの補正後流量Ｑを算出する流量補正手段を採用することができる。
【００１５】
また、前記流量計において、第一の発熱素子と第一の抵抗素子の間の距離と、第二の発熱素子と第二の抵抗素子の間の距離と、を異ならせることができる。かかる場合において、第一の発熱素子と第一の抵抗素子の間の距離と相関関係を有する固定係数ＫAと、第二の発熱素子と第二の抵抗素子の間の距離と相関関係を有する固定係数ＫBと、を採用することができる。
【００１６】
また、前記流量計において、第三の発熱素子及び第三の発熱素子の近傍に配置された第三の抵抗素子を有し被測定ガスの運搬効果によって第三の抵抗素子の抵抗値が変化するように構成された第三の熱式流れセンサをさらに採用してもよい。かかる場合において、第一の熱式流れセンサの測定可能流量域と第二の熱式流れセンサの測定可能流量域との重複流量域よりも、第三の熱式流れセンサの測定可能流領域と第一の熱式流れセンサの測定可能流量域との重複流量域（又は第三の熱式流れセンサの測定可能流領域と第二の熱式流れセンサの測定可能流量域との重複流量域）を広くすることが好ましい。
【００１７】
かかる構成を採用すると、熱式流れセンサの測定可能流量域の重複範囲を広げることができるので、広い流領域において補正係数の算出が可能となるという利点がある。
【００１８】
また、本発明に係る第二の流量計は、主流路と；主流路をバイパスするバイパス流路と；主流路内を流通する被測定ガスの流量を検出するための主流路用熱式流れセンサと；バイパス流路内を流通する被測定ガスの流量を検出するための少なくとも２つの異なるバイパス流路用熱式流れセンサと；主流路用熱式流れセンサのセンサ出力に基づいて主流路内を流通する被測定ガスの補正前流量を算出するとともに、少なくとも２つの異なるバイパス流路用熱式流れセンサのセンサ出力に基づいてバイパス流路内を流通する被測定ガスの補正前流量を算出する流量算出手段と；少なくとも２つの異なるバイパス流路用熱式流れセンサのセンサ出力に基づいて算出した被測定ガスの補正前流量と、少なくとも２つの異なるバイパス流路用熱式流れセンサ固有の固定係数と、に基づいて、所定の基準ガスの温度拡散率に対する被測定ガスの温度拡散率の比と相関関係を有する補正係数を算出する補正係数算出手段と；流量算出手段で算出した主流路内を流通する被測定ガスの補正前流量と、補正係数算出手段で算出した補正係数と、に基づいて被測定ガスの補正後流量を算出する流量補正手段と；を備えるものである。
【００１９】
かかる構成を採用すると、少なくとも２つの異なる熱式流れセンサを用いて検出したバイパス流路内を流通する被測定ガスの補正前流量と、これら各熱式流れセンサ固有の固定係数と、に基づいて、所定の基準ガスの温度拡散率に対する被測定ガスの温度拡散率の比と相関関係を有する補正係数を算出することができる。そして、この算出した補正係数を用いて、主流路内を流通する被測定ガスの補正前流量を補正して補正後流量を算出することができる。従って、ガス組成が変動する環境下においても、簡易に被測定ガスの流量補正を行うことが可能となる。また、バイパス流路に補正係数算出用の熱式流れセンサを設置することにより、広い流領域において流量補正を行うことができる。バイパス流路内を流通する被測定ガスの流量は、主流路内を流通する被測定ガスの流量よりも小さくなるため、主流路内を流通するガスの流量が大流量であっても、バイパス流路内を流通するガスの流量が特定流領域（補正係数の算出が可能な流量域）内にある限り、補正係数を算出することができる。従って、広い流量域（特に大流量域）において流量補正を行うことができる。
【発明の効果】
【００２０】
本発明によれば、熱式流れセンサを備えた流量計において、ガス組成が変動する環境下で簡易に被測定ガスの流量補正を行うことが可能となる。
【図面の簡単な説明】
【００２１】
【図１】本発明の第一実施形態に係る流量計の構成を示す構成図である。
【図２】図１に示す流量計の熱式流れセンサの構成を説明するための斜視図である。
【図３】図２に示すIII−III線に沿った断面図である。
【図４】図１に示す流量計の熱式流れセンサのセンサ出力と流量との関係を示すグラフである。
【図５】被測定ガスが基準ガスである場合における被測定ガスの実流量と流量指示値との関係を示すグラフである。
【図６】被測定ガスが基準ガスとは異なるガスである場合における被測定ガスの実流量と流量指示値との関係を示すグラフである。
【図７】本発明の第一実施形態に係る流量計の流量自動補正機能を説明するためのフローチャートである。
【図８】本発明の第二実施形態に係る流量計の構成を示す構成図である。
【図９】本発明の第二実施形態に係る流量計の流量自動補正機能を説明するためのフローチャートである。
【発明を実施するための形態】
【００２２】
次に、本発明の実施形態に係る流量計について図面を参照して説明する。なお、以下に記載される各実施形態は、本発明を説明するための例示であり、本発明をこれらの実施形態にのみ限定するものではない。従って、本発明は、その要旨を逸脱しない限り、様々な形態で実施することができる。
【００２３】
＜第一実施形態＞
最初に、図１〜図７を用いて、本発明の第一実施形態に係る流量計１について説明する。本実施形態に係る流量計１は、図１に示すように、ガスが流通する図示していない配管の一部に取り付けられる流路保持体２と、流路保持体２に一体的に接続される計測ユニット３と、を備えており、流路保持体２の内部には、被測定ガスが矢印の方向に流通する流路２ａが形成されている。計測ユニット３は、流路２ａ内を流通する被測定ガスの流量を算出するものである。なお、図１は、流路保持体２の断面図と、計測ユニット３の機能的構成を説明するためのブロック図と、を複合的に示した構成図である。
【００２４】
流路保持体２には、上流側の端部に流入口４が、下流側の端部に流出口５が、各々設けられており、流路２ａは、流入口４及び流出口５の各々に取り付けられる図示していない配管と連通している。また、流路２ａの途中には、流路２ａの内径を狭める絞り６が設けられており、絞り６における流路２ａの断面積は、流路２ａ内を流通する被測定ガスの速度（流速）が所定範囲内となるように適宜設定される。
【００２５】
流路２ａの内壁には、流路２ａ内を流通する被測定ガスの流量を検出する２つの熱式流れセンサ（第一の熱式流れセンサ１０Ａ及び第二の熱式流れセンサ１０Ｂ）が設置されている。以下、これら２つの熱式流れセンサの構成について説明する。なお、以下の説明では、２つの熱式流れセンサに共通する構成及び流れ測定原理について説明する。そして、第一の熱式流れセンサ１０Ａの各構成の符号は、以下に登場する各構成の符号に「Ａ」を付したものに相当し、第二の熱式流れセンサ１０Ｂの各構成の符号は、以下の説明に登場する各構成の符号に「Ｂ」を付したものに相当することとする。
【００２６】
熱式流れセンサ１０は、図２及び図３に示すように、キャビティ１２が設けられた基板１１と、基板１１上にキャビティ１２を覆うように配置された絶縁膜１３と、絶縁膜１３に設けられたヒータ１４と、ヒータ１４より上流側に設けられた上流側測温抵抗素子１５と、ヒータ１４より下流側に設けられた下流側測温抵抗素子１６と、上流側測温抵抗素子１５より上流側に設けられた周囲温度センサ１７と、を有している。
【００２７】
絶縁膜１３のキャビティ１２を覆う部分は、断熱性のダイアフラムを構成している。周囲温度センサ１７は、流路２ａを流通するガスの温度を測定する。ヒータ１４は、キャビティ１２を覆う絶縁膜１３の略中心に配置されており、流路２ａを流通する被測定ガスを、周囲温度センサ１７が計測した温度よりも一定温度高くなるように加熱する。上流側測温抵抗素子１５はヒータ１４より上流側の温度を検出するために用いられ、下流側測温抵抗素子１６はヒータ１４より下流側の温度を検出するために用いられる。
【００２８】
ここで、流路２ａ内における被測定ガスの流量が零の場合、ヒータ１４で加えられた熱は、上流方向と下流方向へ対称的に拡散する。従って、上流側測温抵抗素子１５の温度と下流側測温抵抗素子１６の温度は等しくなり、上流側測温抵抗素子１５の電気抵抗と下流側測温抵抗素子１６の電気抵抗は等しくなる。これに対し、流路２ａ内における被測定ガスが上流側から下流側へと流通している場合、ヒータ１４で加えられた熱は下流方向に運ばれる（運搬効果）。従って、上流側測温抵抗素子１５の温度よりも下流側測温抵抗素子１６の温度が高くなり、上流側測温抵抗素子１５の電気抵抗と下流側測温抵抗素子１６の電気抵抗との間に差が生じる。この電気抵抗の差は、流路２ａ内を流通する被測定ガスの速度や流量と相関関係があることが知られている。このため、上流側測温抵抗素子１５の電気抵抗と下流側測温抵抗素子１６の電気抵抗との差に基づいて、流路２ａ内を流通する被測定ガスの速度や流量を測定（算出）することができる。
【００２９】
なお、基板１１の材料としては、シリコン(Ｓｉ)等が使用可能である。絶縁膜１３の材料としては、酸化ケイ素(ＳｉＯ2)等が使用可能である。キャビティ１２は、異方性エッチング等により形成される。また、ヒータ１４、上流側測温抵抗素子１５、下流側測温抵抗素子１６及び周囲温度センサ１７の各々の材料としては、白金(Pt)等が使用可能であり、これらは、リソグラフィ法等により形成可能である。
【００３０】
第一の熱式流れセンサ１０Ａ及び第二の熱式流れセンサ１０Ｂは、このような共通の構成を有している。第一の熱式流れセンサ１０Ａのヒータ１４Ａは本発明における第一の発熱素子に相当し、第一の熱式流れセンサ１０Ａの測温抵抗素子１５Ａ・１６Ａは本発明における第一の抵抗素子に相当する。また、第二の熱式流れセンサ１０Ｂのヒータ１４Ｂは本発明における第二の発熱素子に相当し、第二の熱式流れセンサ１０Ｂの測温抵抗素子１５Ｂ・１６Ｂは本発明における第一の抵抗素子に相当する。
【００３１】
本実施形態においては、第一の熱式流れセンサ１０Ａのヒータ１４Ａと測温抵抗素子１５Ａ（１６Ａ）との間の距離が、第二の熱式流れセンサ１０Ｂのヒータ１４Ｂと測温抵抗素子１５Ｂ（１６Ｂ）との間の距離よりも長くなるように設定されている。このような構成の相違に起因して、図４に示すように、第一の熱式流れセンサ１０Ａの流量レンジ（センサ出力の所定下限値から所定上限値までの範囲内で測定可能な流量域）ＲAは、第二の熱式流れセンサ１０Ｂの流量レンジＲBよりも広くなっている。
【００３２】
また、本実施形態においては、第一の熱式流れセンサ１０Ａ固有の固定係数ＫAと、第二の熱式流れセンサ１０Ｂ固有の固定係数ＫBと、が設定されている。固定係数ＫAは、ヒータ１４Ａと測温抵抗素子１５Ａ（１６Ａ）の間の距離と相関関係を有し、固定係数ＫBは、ヒータ１４Ｂと測温抵抗素子１５Ｂ（１６Ｂ）の間の距離と相関関係を有するものである。
【００３３】
計測ユニット３は、図１に示すように、２つの熱式流れセンサ（第一の熱式流れセンサ１０Ａ及び第二の熱式流れセンサ１０Ｂ）に電気的に接続された中央演算装置２０と、中央演算装置２０に電気的に接続された記憶装置３０及び表示装置４０と、を有している。
【００３４】
記憶装置３０は、例えばＤＲＡＭ等の揮発性メモリから構成することができる。記憶装置３０には、各種制御プログラムに加えて、２つの熱式流れセンサのセンサ出力に基づいて被測定ガスの補正前流量を算出するための情報（演算式、マップ等）や、補正前流量を補正するための情報（固定係数ＫA、固定係数ＫB、後述する基準ガスの温度拡散率α0等）が記憶されている。表示装置４０は、例えば液晶ディスプレイ等の画像表示部と、入力キー等を有して各種設定や情報入力が可能な操作部と、から構成することができる。
【００３５】
中央演算装置２０は、例えばＣＰＵ等から構成されており、記憶装置３０に記憶された各種情報や各種制御プログラムを読み込み、各種演算処理を実行して流量計１の各種電子機器を統合制御する。本実施形態における中央演算装置２０は、２つの熱式流れセンサ（第一の熱式流れセンサ１０Ａ及び第二の熱式流れセンサ１０Ｂ）を用いて検出した被測定ガスの流量（補正前流量）と、これら熱式流れセンサ固有の固定係数（ＫA、ＫB）と、に基づいて、被測定ガスの補正後流量を算出する。
【００３６】
具体的には、中央演算装置２０は、第一の熱式流れセンサ１０Ａの上流側測温抵抗素子１５Ａの電気抵抗と下流側測温抵抗素子１６Ａの電気抵抗との差に対応するセンサ出力に基づいて流路２ａ内を流通する被測定ガスの流量（第一の補正前流量ＱA）を算出するとともに、第二の熱式流れセンサ１０Ｂの上流側測温抵抗素子１５Ｂの電気抵抗と下流側測温抵抗素子１６Ｂの電気抵抗との差に対応するセンサ出力に基づいて流路２ａ内を流通する被測定ガスの流量（第二の補正前流量ＱB）を算出する流量演算部２１を有している。流量演算部２１は、本発明における流量算出手段に相当するものである。
【００３７】
本実施形態では、被測定ガスが所定の基準ガスである場合において、被測定ガスの実流量と、流量指示値（２つの熱式流れセンサのセンサ出力に基づいて流量演算部２１で算出される補正前流量ＱA・ＱB）と、が一致する（すなわち被測定ガスの実流量及び流量指示値が図５に示される関係となる）ように設定している。このように設定した場合においても、基準ガスと異なるガスを被測定ガスとして採用した場合には、図６に示すように被測定ガスの実流量と流量指示値とが一致しなくなることが知られている。これは、ガスの種類によって熱伝導率等が異なることから熱式流れセンサのセンサ出力特性が変化するためである。
【００３８】
そして、本実施形態においては、ヒータと測温抵抗素子との間の距離が異なる２つの熱式流れセンサ（第一の熱式流れセンサ１０Ａ及び第二の熱式流れセンサ１０Ｂ）を採用している。このため、基準ガスと異なるガスを被測定ガスとして採用すると、同一実流量Ｑの被測定ガスを流通させた場合においても、第一の熱式流れセンサ１０Ａを用いた流量指示値（第一の熱式流れセンサ１０Ａのセンサ出力に基づいて算出される第一の補正前流量ＱA）と、第二の熱式流れセンサ１０Ｂを用いた流量指示値（第二の熱式流れセンサ１０Ｂのセンサ出力に基づいて算出される第二の補正前流量ＱB）と、に差異が生じる（図６参照）。本実施形態における中央演算装置２０は、このように基準ガスと異なるガスを測定する場合に２つの熱式流れセンサのセンサ出力に基づいて算出される流量指示値（第一の補正前流量ＱA及び第二の補正前流量ＱB）に差異が生じることを利用して、流量演算部２１で算出した被測定ガスの流量を補正する。
【００３９】
具体的には、中央演算装置２０は、流量演算部２１で算出した第一の補正前流量ＱA及び第二の補正前流量ＱBと、記憶装置３０に記憶された固定係数ＫA及び固定係数ＫBと、記憶装置３０に記憶された特定比算出式と、に基づいて、基準ガスの温度拡散率に対する被測定ガスの温度拡散率の比（特定比）を算出し、この特定比を用いて、流量補正用の補正係数（コンバージョンファクタ）を算出する補正係数演算部２２を有している。また、中央演算装置２０は、補正係数演算部２２で算出した補正係数を用いて、流量演算部２１で算出した第一の補正前流量ＱA（又は第二の補正前流量ＱB）を補正して補正後流量を算出する出力補正部２３を有している。
【００４０】
ここで、補正係数演算部２２における補正係数算出方法及び出力補正部２３における流量補正方法について、さらに具体的に説明する。
【００４１】
第一の熱式流れセンサ１０Ａを用いた流量指示値（第一の補正前流量ＱA）を補正するための第一の補正係数ＣＦAは、所定の基準ガスの温度拡散率α0と被測定ガスの温度拡散率αとの比である特定比（α／α0）を用いた以下の関係式で表されることが実験で確認されている。
ＣＦA＝１−ＫA（１−α／α0）
従って、実流量に相当する補正後流量Ｑは、特定比（α／α0）を用いた以下の算出式（第一の補正後流量算出式）で表される。
Ｑ＝ＣＦA×ＱA＝｛１−ＫA（１−α／α0）｝×ＱA
【００４２】
なお、熱式流れセンサ１０Ａ特有の固定係数ＫAは、以下の方法で算出することができる。まず、基準ガス（例えばメタン）を配管に流通させ、基準流量計と、熱式流れセンサ１０Ａを用いた流量計と、で別々に流量を測定する。基準流量計においては、例えば体積流量計で測定した体積流量を温度及び圧力で補正することにより質量流量Ｑを求める。そして、熱式流れセンサ１０Ａを用いた流量計においては、「Ｑ＝ＱA」となるように流量計を調整する。次いで、基準ガス以外の被測定ガス（例えば二酸化炭素）の流量を配管に流通させ、基準流量計でＱを、熱式流れセンサ１０Ａを用いた流量計でＱAを、各々測定する。一方、ＫAは、前述した第一の補正後流量算出式を変形した以下の式で表される。
ＫA＝（ＱA−Ｑ）／｛ＱA（１−α／α0）｝
この式に、既知の値（基準流量計で測定したＱ、熱式流れセンサ１０Ａを用いた流量計で測定したＱA、基準ガス（メタン）の温度拡散率α0、被測定ガス（二酸化炭素）の温度拡散率α）を代入することにより、ＫAを算出することができる。
【００４３】
同様に、第二の熱式流れセンサ１０Ｂを用いた流量指示値（第一の補正前流量ＱB）を補正するための第二の補正係数ＣＦBもまた、特定比（α／α0）を用いた以下の関係式で表される。
ＣＦB＝１−ＫB（１−α／α0）
従って、実流量に相当する補正後流量Ｑは、特定比（α／α0）を用いた以下の算出式（第二の補正後流量算出式）で表される。
Ｑ＝ＣＦB×ＱB＝｛１−ＫB（１−α／α0）｝×ＱB
【００４４】
前述した第一及び第二の補正後流量算出式の左辺は何れもＱで等しいことから、これら２つの算出式に基づいて以下の特定比算出式が導かれることとなる。
（α／α0）＝１＋（ＱB―ＱA）／（ＫAＱA―ＫBＱB）
【００４５】
中央演算装置２０の補正係数演算部２２は、このような特定比算出式と既知の値（ＱA、ＱB、ＫA、ＫB）とに基づいて特定比（α／α0）を算出し、この特定比（α／α0）と前述した関係式とに基づいて補正係数（第一の補正係数ＣＦA及び第二の補正係数ＣＦB）を算出する。すなわち、補正係数演算部２２は、本発明における補正係数算出手段として機能する。
【００４６】
中央演算装置２０の出力補正部２３は、補正係数演算部２２で算出された第一の補正係数ＣＦAと前述した第一の補正後流量算出式とに基づいて、又は、補正係数演算部２２で算出された第二の補正係数ＣＦBと前述した第二の補正後流量算出式とに基づいて、補正後流量Ｑを算出する。すなわち、出力補正部２３は、本発明における流量補正手段として機能する。
【００４７】
次に、図７のフローチャート等を用いて、本実施形態に係る流量計１の流量自動補正機能について説明する。
【００４８】
まず、流量計１の計測ユニット３に設けられた中央演算装置２０の流量演算部２１は、第一の熱式流れセンサ１０Ａの上流側測温抵抗素子１５Ａの電気抵抗と下流側測温抵抗素子１６Ａの電気抵抗との差に対応するセンサ出力に基づいて、流路２ａ内を流通する被測定ガスの流量（第一の補正前流量ＱA）を算出する（第一の補正前流量算出工程：Ｓ１）。また、流量演算部２１は、第二の熱式流れセンサ１０Ｂの上流側測温抵抗素子１５Ｂの電気抵抗と下流側測温抵抗素子１６Ｂの電気抵抗との差に対応するセンサ出力に基づいて、流路２ａ内を流通する被測定ガスの流量（第二の補正前流量ＱB）を算出する（第二の補正前流量算出工程：Ｓ２）。
【００４９】
次いで、中央演算装置２０は、第一の補正前流量算出工程Ｓ１及び第二の補正前流量算出工程Ｓ２で算出した補正前流量（ＱA、ＱB）が、補正係数の算出が可能な流領域（特定流領域）内にあるか否かを判定する（流量判定工程：Ｓ３）。本実施形態においては、第一の熱式流れセンサ１０Ａの流量レンジＲAと、第二の熱式流れセンサ１０Ｂの流量レンジＲBと、が重複する流量域ＲAB（図４参照）を特定流領域に設定している。
【００５０】
中央演算装置２０は、流量判定工程Ｓ３において第一の補正前流量算出工程Ｓ１及び第二の補正前流量算出工程Ｓ２で算出した補正前流量（ＱA、ＱB）が特定流領域（ＲAB）内にないと判定した場合に、第一の補正前流量算出工程Ｓ１及び第二の補正前流量算出工程Ｓ２に戻って流量演算部２１で再び補正前流量（ＱA、ＱB）の算出を行う。一方、中央演算装置２０は、流量判定工程Ｓ３において第一の補正前流量算出工程Ｓ１及び第二の補正前流量算出工程Ｓ２で算出した補正前流量（ＱA、ＱB）が特定流領域（ＲAB）内にあると判定した場合に、補正係数演算部２２で補正係数（第一の補正係数ＣＦA及び第二の補正係数ＣＦB）を算出する（補正係数算出工程：Ｓ４）。
【００５１】
この後、中央演算装置２０の出力補正部２３は、補正係数算出工程Ｓ４で算出した第一の補正係数ＣＦAを第一の補正前流量ＱAに乗じることにより補正後流量Ｑを算出する（出力補正工程：Ｓ５）。なお、出力補正工程Ｓ５においては、補正係数算出工程Ｓ４で算出した第二の補正係数ＣＦBを第二の補正前流量ＱBに乗じることにより補正後流量Ｑを算出してもよい。
【００５２】
以上説明した実施形態における流量計１においては、２つの異なる熱式流れセンサ１０Ａ・１０Ｂを用いて検出した被測定ガスの補正前流量（ＱA、ＱB）と、これら各熱式流れセンサ固有の固定係数（ＫA、ＫB）と、に基づいて、所定の基準ガスの温度拡散率α0に対する被測定ガスの温度拡散率αの比（特定比（α／α0））と相関関係を有する補正係数（ＣＦA、ＣＦB）を算出することができる。そして、この算出した補正係数（ＣＦA、ＣＦB）を用いて、被測定ガスの補正後流量（Ｑ）を算出することができる。従って、ガス組成が変動する環境下においても、簡易に被測定ガスの流量補正を行うことが可能となる。
【００５３】
なお、以上の実施形態においては、２つの異なる熱式流れセンサ１０Ａ・１０Ｂを用いて補正係数を算出して流量補正を行った例を示したが、３つ以上の異なる熱式流れセンサを用いて流量補正を行うこともできる。
【００５４】
例えば、図１に示すように、第一の熱式流れセンサ１０Ａ及び第二の熱式流れセンサ１０Ｂと基本的な構成（ヒータや測温抵抗素子）を共通にし被測定ガスの運搬効果によって測温抵抗素子の抵抗値が変化する第三の熱式流れセンサ１０Ｃを流路２ａの内壁に設置することができる。そして、第三の熱式流れセンサ１０Ｃ及び第一の熱式流れセンサ１０Ａ（又は第三の熱式流れセンサ１０Ｃ及び第二の熱式流れセンサ１０Ｂ）を用いて補正係数を算出して流量補正を行ってもよい。
【００５５】
この際、第三の熱式流れセンサ１０Ｃの構成（例えばヒータと測温抵抗素子との間の距離）を適宜調整することにより、図４に示すように、第三の熱式流れセンサ１０Ｃの流量レンジＲCを、第一の熱式流れセンサ１０Ａの流量レンジＲA及び第二の熱式流れセンサ１０Ｂの流量レンジＲBと異ならせることができる。このようにすると、第一の熱式流れセンサ１０Ａの流量レンジＲAと第三の熱式流れセンサ１０Ｃの流量レンジＲCとが重複する流量域ＲACと、第二の熱式流れセンサ１０Ｂの流量レンジＲBと第三の熱式流れセンサ１０Ｃの流量レンジＲCとが重複する流量域ＲBCと、が新たに生じることとなり、熱式流れセンサの流量レンジの重複範囲を広げることができる。従って、広い流領域において補正係数の算出が可能となるという利点がある。
【００５６】
＜第二実施形態＞
続いて、図８及び図９を用いて、本発明の第二実施形態に係る流量計１Ａについて説明する。本実施形態に係る流量計１Ａは、第一実施形態に係る流量計１と共通の構成を多く有している。このため、本実施形態においては、第一実施形態と異なる構成を中心に説明することとし、第一実施形態と共通の構成については第一実施形態と同一の符号を付して詳細な説明を省略する。
【００５７】
本実施形態に係る流量計１Ａは、図８に示すように、被測定ガスが矢印の方向に流通する主流路２ａが内部に形成されるとともにバイパス流路形成用の貫通孔７を有する第一部材２Ａと、バイパス流路形成用の凹部８を有する第二部材２Ｂと、から構成される流路保持体を備えるとともに、この流路保持体に一体的に接続される計測ユニット３Ａを備えている。
【００５８】
本実施形態においては、第一部材２Ａの貫通孔７と第二部材２Ｂの凹部８とによりバイパス流路９が形成される。バイパス流路９を形成する内壁には、図８に示すように、主流路２ａから分岐してバイパス流路９内を流通する被測定ガスの流量を検出する２つの熱式流れセンサが設置されている。これら２つの熱式流れセンサは、第一実施形態で説明した第一の熱式流れセンサ１０Ａ及び第二の熱式流れセンサ１０Ｂと同一である。また、本実施形態においては、主流路２ａのバイパス流路９上流側に、広い流量レンジ（図４参照）を有する第一の熱式流れセンサ１０Ａを設置している。
【００５９】
計測ユニット３Ａは、各熱式流れセンサ（第一の熱式流れセンサ１０Ａ及び第二の熱式流れセンサ１０Ｂ）に電気的に接続された中央演算装置２０Ａと、中央演算装置２０Ａに電気的に接続された記憶装置３０及び表示装置４０と、を有している。記憶装置３０及び表示装置４０は、第一実施形態で説明したものと同一である。
【００６０】
本実施形態における中央演算装置２０Ａは、２つの熱式流れセンサ（第一の熱式流れセンサ１０Ａ及び第二の熱式流れセンサ１０Ｂ）を用いて検出したバイパス流路９内を流通する被測定ガスの流量（補正前流量ＱA´、ＱB´）と、これら熱式流れセンサ固有の固定係数（ＫA、ＫB）と、に基づいて、補正係数（ＣＦA）を算出する。一方、中央演算装置２０Ａは、第一の熱式流れセンサ１０Ａを用いて、主流路２ａ内を流通する被測定ガスの流量（補正前流量ＱA）を検出しておく。そして、中央演算装置２０Ａは、算出した補正係数（ＣＦA）に基づいて、主流路２ａ内を流通する被測定ガスの流量（補正前流量ＱA）を補正して補正後流量（Ｑ）を算出する。
【００６１】
具体的には、中央演算装置２０Ａは、第一の熱式流れセンサ１０Ａの上流側測温抵抗素子１５Ａの電気抵抗と下流側測温抵抗素子１６Ａの電気抵抗との差に対応するセンサ出力に基づいて、バイパス流路９内を流通する被測定ガスの流量（第一の補正前流量ＱA´）を算出するとともに、第二の熱式流れセンサ１０Ｂの上流側測温抵抗素子１５Ｂの電気抵抗と下流側測温抵抗素子１６Ｂの電気抵抗との差に対応するセンサ出力に基づいて、バイパス流路９内を流通する被測定ガスの流量（第二の補正前流量ＱB´）を算出する流量演算部を有している。また、本実施形態における流量演算部は、第一の熱式流れセンサ１０Ａの上流側測温抵抗素子１５Ａの電気抵抗と下流側測温抵抗素子１６Ａの電気抵抗との差に対応するセンサ出力に基づいて、主流路２ａ内を流通する被測定ガスの流量（第一の補正前流量ＱA）を算出する。すなわち、本実施形態における流量演算部は、第一実施形態で説明した流量演算部２１と同様に、同一流路（バイパス流路９）内を流通する被測定ガスの２つの補正前流量（ＱA´、ＱB´）を算出しているが、これに加えて、主流路２ａ内を流通する被測定ガスの補正前流量（ＱA）を算出している。
【００６２】
また、本実施形態における中央演算装置２０Ａは、流量演算部で算出した第一の補正前流量ＱA´及び第二の補正前流量ＱB´と、記憶装置３０に記憶された固定係数ＫA及び固定係数ＫBと、記憶装置３０に記憶された特定比算出式と、に基づいて、基準ガスの温度拡散率に対する被測定ガスの温度拡散率の比（特定比）を算出し、この特定比を用いて、流量補正用の補正係数（コンバージョンファクタ）を算出する補正係数演算部を有している。本実施形態における補正係数演算部は、第一実施形態で説明した補正係数演算部２２と同様に、特定比算出式と既知の値（ＱA´、ＱB´、ＫA、ＫB）とに基づいて特定比（α／α0）を算出し、この特定比（α／α0）と所定の関係式とに基づいて補正係数（第一の補正係数ＣＦA）を算出する。
【００６３】
また、本実施形態における中央演算装置２０Ａは、補正係数演算部で算出した補正係数（第一の補正係数ＣＦA）を、流量演算部で算出した主流路２ａ内を流通する被測定ガスの流量（補正前流量ＱA）に乗じることにより、補正後流量（Ｑ）を算出する出力補正部を有している。本実施形態における出力補正部は、第一実施形態における出力補正部と同様に補正係数（ＣＦA）を用いて補正後流量（Ｑ）を算出するものであるが、バイパス流路９内を流通する被測定ガスの流量（補正前流量ＱA´）を補正するのではなく、主流路２ａ内を流通する被測定ガスの流量（補正前流量ＱA）を補正することにより補正後流量（Ｑ）を算出している。
【００６４】
次に、図９のフローチャート等を用いて、本実施形態に係る流量計１Ａの流量自動補正機能について説明する。
【００６５】
まず、流量計１Ａの計測ユニット３Ａに設けられた中央演算装置２０Ａの流量演算部は、第一の熱式流れセンサ１０Ａのセンサ出力に基づいてバイパス流路９内を流通する被測定ガスの流量（第一の補正前流量ＱA´）を算出するとともに、第二の熱式流れセンサ１０Ｂのセンサ出力に基づいてバイパス流路９内を流通する被測定ガスの流量（第二の補正前流量ＱB´）を算出する（バイパス流量算出工程：Ｓ１１）。
【００６６】
次いで、中央演算装置２０Ａは、バイパス流量算出工程Ｓ１１で算出したバイパス流路９内を流通する被測定ガスの流量（補正前流量ＱA´、ＱB´）が、補正係数の算出が可能な流領域（特定流領域）内にあるか否かを判定する（流量判定工程：Ｓ１２）。本実施形態においては、第一実施形態と同様に、第一の熱式流れセンサ１０Ａの流量レンジＲAと第二の熱式流れセンサ１０Ｂの流量レンジＲBとが重複する流量域ＲAB（図４参照）を特定流領域に設定している。
【００６７】
中央演算装置２０Ａは、流量判定工程Ｓ１２においてバイパス流量算出工程Ｓ１１で算出したバイパス流路９内を流通する被測定ガスの流量（補正前流量ＱA´、ＱB´）が特定流領域（ＲAB）内にないと判定した場合に、バイパス流量算出工程Ｓ１１に戻って流量演算部で再び補正前流量（ＱA´、ＱB´）の算出を行う。一方、中央演算装置２０Ａは、流量判定工程Ｓ１２においてバイパス流量算出工程Ｓ１１で算出したバイパス流路９内を流通する被測定ガスの流量（補正前流量ＱA´、ＱB´）が特定流領域（ＲAB）内にあると判定した場合に、第一の熱式流れセンサ１０Ａのセンサ出力に基づいて主流路２ａ内を流通する被測定ガスの流量（第一の補正前流量ＱA）を算出する（主流量算出工程：Ｓ１３）。
【００６８】
次いで、中央演算装置２０Ａの補正係数演算部は、バイパス流量算出工程Ｓ１１で算出したバイパス流路９内を流通する被測定ガスの流量（補正前流量ＱA´、ＱB´）と、記憶装置３０に記憶された固定係数（ＫA、ＫB）と、記憶装置３０に記憶された特定比算出式と、に基づいて、基準ガスの温度拡散率に対する被測定ガスの温度拡散率の比である特定比（α／α0）を算出し、この特定比（α／α0）を用いて、流量補正用の補正係数（第一の補正係数ＣＦA）を算出する（補正係数算出工程：Ｓ１４）。
【００６９】
次いで、中央演算装置２０Ａの出力補正部は、補正係数算出工程Ｓ１４で算出した第一の補正係数ＣＦAを、主流量算出工程Ｓ１３で算出した主流路２ａ内を流通する被測定ガスの流量（第一の補正前流量ＱA）に乗じることにより、補正後流量Ｑを算出する（出力補正工程：Ｓ１５）。
【００７０】
以上説明した実施形態における流量計１Ａにおいては、２つの異なる熱式流れセンサを用いて検出したバイパス流路９内を流通する被測定ガスの補正前流量（ＱA´、ＱB´）と、これら各熱式流れセンサ固有の固定係数（ＫA、ＫB）と、に基づいて、所定の基準ガスの温度拡散率α0に対する被測定ガスの温度拡散率αの比（特定比（α／α0））と相関関係を有する補正係数（第一の補正係数ＣＦA）を算出することができる。そして、この算出した補正係数（ＣＦA）を用いて、主流路２ａ内を流通する被測定ガスの補正前流量（ＱA）を補正して補正後流量（Ｑ）を算出することができる。従って、ガス組成が変動する環境下においても、簡易に被測定ガスの流量補正を行うことが可能となる。
【００７１】
また、以上説明した実施形態における流量計１Ａにおいては、バイパス流路９に補正係数算出用の２つの熱式流れセンサを設置することにより、広い流領域において流量補正を行うことができる。バイパス流路９内を流通する被測定ガスの流量は、主流路２ａ内を流通する被測定ガスの流量よりも小さくなるため、主流路２ａ内を流通するガスの流量が大流量（特定流領域外）であっても、バイパス流路９内を流通するガスの流量が特定流領域内にある限り、補正係数を算出することができる。従って、広い流量域（特に大流量域）において流量補正を行うことができる。
【符号の説明】
【００７２】
１・１Ａ…流量計
２ａ…流路・主流路
９…バイパス流路
１０Ａ・１０Ｂ・１０Ｃ…熱式流れセンサ
１４…ヒータ（発熱素子）
１５…上流側測温抵抗素子（抵抗素子）
１６…下流側測温抵抗素子（抵抗素子）
２０・２０Ａ…中央演算装置
２１…流量演算部（流量算出手段）
２２…補正係数演算部（補正係数算出手段）
２３…出力補正部（流量補正手段）
【図１】
0005450204.tif 000002
【図２】
0005450204.tif 000003
【図３】
0005450204.tif 000004
【図４】
0005450204.tif 000005
【図５】
0005450204.tif 000006
【図６】
0005450204.tif 000007
【図７】
0005450204.tif 000008
【図８】
0005450204.tif 000009
【図９】
0005450204.tif 000010